(57)【特許請求の範囲】
【請求項１】
命綱が引っ掛けられる親綱を、屋根に沿って張り渡す親綱張設具において、
固定金具と前記親綱と平行に配される梁材とを備えた基台と、前記梁材の中央部上に垂直に固定された、前記親綱が引っ掛けられる支柱とを備え、前記基台は、前記固定金具により前記屋根に着脱可能に固定され、前記梁材は、断面コ字形をなし、ウエッブを下にし、フランジを上側に向けて、前記基台に固定され、前記支柱は、前記ウエッブ上に固定され、前記支柱と前記梁材の前記フランジとの間は、リブにより連結され、前記梁材の中央部は、作業者の落下時に前記命綱、前記親綱、前記支柱および前記リブを介して加わる荷重により軸回りに変形して、前記作業者が受ける衝撃力を吸収することを特徴とする親綱張設具。
【請求項２】
前記屋根は、折り板構造の屋根であり、前記固定金具は、前記屋根の山部に沿って形成された突条を把持することにより、前記基台を前記屋根に固定することを特徴とする、請求項１に記載の親綱張設具。
【請求項３】
前記支柱は、前記梁材に着脱可能に取り付けられていることを特徴とする、請求項１または２に記載の親綱張設具。
【発明の詳細な説明】
【技術分野】
【０００１】
この発明は、親綱張設具、特に、親綱を確実に屋根に沿って張ることができることは勿論、万一、作業者が屋根から落下した場合であっても、落下による衝撃力を吸収して、作業者が受けるダメージを最小限に抑えることができる親綱張設具に関するものである。
【背景技術】
【０００２】
作業者が屋根に上がって高所作業を行う際には、落下事故を未然に防止するために、屋根に沿って張り渡された親綱に命綱を引っ掛けて作業が行われる。
【０００３】
命綱が引っ掛けられる親綱を、折り板構造の屋根に沿って張り渡す親綱張設具として、特許文献１（実用新案登録第３０７６２０２号公報）には、下記からなるものが開示されている。以下、この親綱張設具を従来親綱張設具といい、図面を参照しながら説明する。
【０００４】
図５は、折り板構造の屋根に設置された従来親綱張設具を示す斜視図、図６は、屋根に設置された従来親綱張設具を示す斜視図である。
【０００５】
図５に示すように、従来親綱張設具は、基台１４と支柱１５とからなっている。基台１４は、平行に配されたアングル鋼からなる一方および他方の梁材１６、１７と、両梁材１６、１７に取り付けられた固定金具１８とからなっている。
【０００６】
支柱１４は、一方の梁材１６上に垂直に固定されている。支柱１５と一方の梁材１６とは、補強材１９により、支柱１５と他方の梁材１７とは、補強材２０によりそれぞれ補強されている。支柱１５の上部には、親綱２１のフック２１ａが引っ掛けられる連結環２２が取り付けられている。
【０００７】
固定金具１８は、折り板構造の屋根２３の山部に沿って形成された突条２３ａを把持して、基台１４を屋根２３に着脱可能に取り付ける。
【０００８】
このように構成されている従来親綱張設具によれば、図６に示すように、屋根２３に間隔をあけて複数台の従来親綱張設具Ａ、Ｂを固定金具１８により設置し、図５に示すように、親綱２１のフック２１ａを支柱１５の連結環２２に引っ掛けて親綱２１を従来親綱張設具Ａ、Ｂ間に張り渡す。そして、このように張り渡された親綱２１に作業者の命綱２４を引っ掛ければ、屋根２３上での高所作業が安全に行える。
【０００９】
【特許文献１】実用新案登録第３０７６２０２号公報
【発明の開示】
【発明が解決しようとする課題】
【００１０】
上記従来親綱張設具によれば、屋根に親綱を確実に張り渡すことができるので、屋根上での高所作業が安全に行えるが、以下のような問題があった。
【００１１】
万一、作業者が屋根から落下した場合、支柱１５は、基台１４に補強材２０を介して強固に固定されているので、落下による衝撃力が直接作業者にかかる結果、作業者は、大きなダメージを受ける。
【００１２】
従って、この発明の目的は、親綱を確実に屋根に沿って張ることができることは勿論、万一、作業者が屋根から落下した場合であっても、落下による衝撃力を吸収して、作業者が受けるダメージを最小限に抑えることができる親綱張設具を提供することにある。
【課題を解決するための手段】
【００１３】
この発明は、上記目的を達成するためになされたものであって、下記を特徴とするものである。
【００１４】
請求項１記載の発明は、命綱が引っ掛けられる親綱を、屋根に沿って張り渡す親綱張設具において、固定金具と前記親綱と平行に配される梁材とを備えた基台と、前記梁材の中央部上に垂直に固定された、前記親綱が引っ掛けられる支柱とを備え、前記基台は、前記固定金具により前記屋根に着脱可能に固定され、前記梁材は、断面コ字形をなし、ウエッブを下にし、フランジを上側に向けて、前記基台に固定され、前記支柱は、前記ウエッブ上に固定され、前記支柱と前記梁材の前記フランジとの間は、リブにより連結され、前記梁材の中央部は、作業者の落下時に前記命綱、前記親綱、前記支柱および前記リブを介して加わる荷重により軸回りに変形して、前記作業者が受ける衝撃力を吸収すること特徴を有するものである。
【００１５】
請求項２記載の発明は、請求項１に記載の発明において、前記屋根は、折り板構造の屋根であり、前記固定金具は、前記屋根の山部に沿って形成された突条を把持することにより、前記基台を前記屋根に固定することに特徴を有するものである。
【００１６】
請求項３記載の発明は、請求項１または２に記載の発明において、前記支柱は、前記梁材に着脱可能に取り付けられていることに特徴を有するものである。
【発明の効果】
【００１９】
この発明によれば、親綱を確実に屋根に沿って張ることができることは勿論、万一、作業者が屋根から落下した場合であっても、支柱が固定されている梁材を、落下による衝撃力により変形させ、これにより、衝撃力を吸収して、作業者が受けるダメージを最小限に抑えることができる。
【発明を実施するための最良の形態】
【００２０】
この発明の親綱張設具の一実施態様を、図面を参照しながら説明する。
【００２１】
図１は、この発明の親綱張設具を示す斜視図、図２は、この発明の親綱張設具を示す平面図、図３は、この発明の親綱張設具の固定金具を示す斜視図、図４は、屋根に設置された、この発明の親綱張設具を示す斜視図である。
【００２２】
図１から図４において、１は、基台であり、両端部間が補強材２により連結された２本の側部梁材３と、側部梁材３の中央部間を連結する中央部梁材４と、側部梁材３の底部に取り付けられた固定金具５とからなっている。側部梁材３および中央部梁材４は、何れも、断面コ字形の溝形鋼からなり、ウエッブを下にし、フランジを上側に向けてＨ状に組まれている。なお、中央部梁材４をウエッブを下にし、フランジが上側を向くように配したのは、後述するように、作業者の落下荷重により中央部梁材４を容易に捻り変形させるためである。
【００２３】
固定金具５は、図３に示すように、略コ字形をなす２枚の把持片６、６とボルト７とからなっている。把持片６、６の上部フランジ６ａ、６ａは、切れ込みが形成され、切れ込み部を互いに挿入することによって互いにクロスするように連結され、連結された上部フランジ６ａ、６ａにボルト７が挿入されている。ボルト７は、下部フランジ６ｂ、６ｂに形成された円弧状の切り欠き６ｃ、６ｃから側部梁材２のウエッブに形成されたボルト孔（図示せず）に挿通され、ナット８により締め付けられる。ナット８を締め付けることによって、下部フランジ６ｂ、６ｂは、上部フランジ６ａ、６ａを支点として開閉し、これによって、屋根２３の山部に沿って形成された突条２３ａを把持可能になっている。
【００２４】
９は、中央部梁材４のウエッブ４ａ上に垂直に固定された支柱である。支柱９の上部両側には、親綱２１のフック２１ａが引っ掛けられる連結環１０が取り付けられている。支柱９と中央部梁材４のフランジ４ｂとの間は、リブ１１により連結されている。リブ１１は、作業者の落下により支柱９にかかる曲げ荷重を、中央部梁材４に確実に伝達する機能を有している。支柱９に曲げ荷重が作用すると、支柱９の下端が中央部梁材４のウエッブ４ａに固定されているので、中央部梁材４は、その長さ方向中央部が捻れるように変形する。この中央部梁材４の捻れ変形によって、作業者の落下による衝撃力が吸収されて、作業者が受けるダメージを最小限に抑えることができる。なお、支柱９の下部が挿入可能なスリーブ１２をリブ１１に固定し、ボルト１３により支柱９の下部をスリーブ１２に固定できるようにすれば、支柱９が中央部梁材４に対して着脱可能になるので、親綱張設具の搬送がしやすくなる。
【００２５】
この発明の親綱張設具によれば、図４に示すように、親綱２１と中央部梁材４とが平行になるように、屋根２３に間隔をあけて複数台の親綱張設具を、固定金具５により屋根２３の山部に沿って形成された突条２３ａを把持することによって設置する。次に、親綱２１のフック２１ａを支柱９の連結環１０に引っ掛けて親綱２１を親綱張設具間に張り渡す。このように親綱２１が屋根２３に沿って確実に張り渡されたら、親綱２１に作業者の命綱２４を引っ掛ければ、屋根２３上での高所作業が安全に行える。
【００２６】
そして、万一、作業者が屋根２３から落下した場合、その荷重は、命綱２４、親綱２１および支柱９を介して中央部梁材４に伝わり、中央部梁材４を捻り変形させる。このように中央部梁材４が変形することにより、落下による衝撃力が吸収されて、作業者が受けるダメージが最小限に抑えられる。
【００２７】
以上説明したように、この発明の親綱張設具によれば、作業者の落下荷重により中央部梁材４が容易に捻り変形する結果、落下による衝撃力が吸収されて、作業者が受けるダメージが最小限に抑えられるが、中央部梁材４の形状や配置は、落下荷重により容易に変形可能であれば、上記例に限定されない。
【図面の簡単な説明】
【００２８】
【図１】この発明の親綱張設具を示す斜視図である。
【図２】この発明の親綱張設具を示す平面図である。
【図３】この発明の親綱張設具の固定金具を示す斜視図である。
【図４】屋根に設置された、この発明の親綱張設具を示す斜視図である。
【図５】折り板構造の屋根に設置された従来親綱張設具を示す斜視図である。
【図６】従来親綱張設具により親綱を張り渡した状態を示す斜視図である。
【符号の説明】
【００２９】
１：基台
２：補強材
３：側部梁材
４：中央部梁材
４ａ：ウエッブ
４ｂ：フランジ
５：固定金具
６：把持片
６ａ：上部フランジ
６ｂ：下部フランジ
６ｃ：切り欠き
７：ボルト
８：ナット
９：支柱
１０：連結環
１１：リブ
１２：スリーブ
１３：ボルト
１４：基台
１５：支柱
１６：一方の梁材
１７：他方の梁材
１８：固定金具
１９：補強材
２０：補強材
２１：親綱
２１ａ：フック
２２：連結環
２３：屋根
２３ａ：突条
２４：命綱
【図１】
0005123698.tif 000002
【図２】
0005123698.tif 000003
【図３】
0005123698.tif 000004
【図４】
0005123698.tif 000005
【図５】
0005123698.tif 000006
【図６】
0005123698.tif 000007